(57)【特許請求の範囲】
【請求項１】
移動局（ＭＦ）と、ビジネス端末（ＧＥ）と、カード・センタ（ＫＺ）の端末とがネットワークを介して接続されるキャッシュレス支払いのための方法において、
移動無線ネットワーク（ＭＳ）にワイヤレス接続した前記移動局（ＭＦ）に個人識別特徴（ＰＩＮ）およびカード番号（ＫＮ）を格納した多機能チップカード（ＣＫ）が挿入される段階と、
前記移動局（ＭＦ）が、前記個人識別特徴（ＰＩＮ）の入力により前記移動無線ネットワーク（ＭＳ）に登録されるとともに、前記移動無線ネットワーク（ＭＳ）にログインする段階と、
前記移動局（ＭＦ）が、前記移動無線ネットワーク（ＭＳ）を介して前記ビジネス端末（ＧＥ）へのコール（Ｖ）を確立する段階と、
前記カード・センタ（ＫＺ）の端末が、前記移動無線ネットワーク（ＭＳ）を介して前記カード・センタ（ＫＺ）の端末に伝送される前記カード番号（ＫＮ）を用いて信用等級チェックを実行する段階と、
前記信用等級チェックの結果が肯定的である場合、前記カード・センタ（ＫＺ）が前記結果を前記移動無線ネットワーク（ＭＳ）を介して前記ビジネス端末（ＧＥ）に伝送し、前記ビジネス端末（ＧＥ）が前記ビジネス端末（ＧＥ）で入力された金額を前記コール（Ｖ）を介して前記移動局（ＭＦ）に伝送し、前記移動局（ＭＦ）において前記入力された金額が表示される段階と、
前記移動局（ＭＦ）で表示された金額がユーザにより確認されると、前記移動局（ＭＦ）から前記ビジネス端末（ＧＥ）へ前記コール（Ｖ）を介して確認通知が伝送される段階と
からなることを特徴とする方法。
【請求項２】
前記コール（Ｖ）を確立するために必要なパラメータ（電話番号）が、前記ビジネス端末（ＧＥ）の送信装置（ＳＥ）から前記移動局（ＭＦ）の受信装置（ＥＥ）への送信によって伝送されることを特徴とする請求項１に記載の方法。
【請求項３】
前記信用等級チェックを実行するために、前記移動局（ＭＦ）において更に別の識別番号を入力する段階を更に含むことを特徴とする請求項１または２に記載の方法。
【発明の詳細な説明】
技術分野
本発明は、キャッシュレス支払いのための方法に関する。
背景技術
今日、キャッシュレスまたはペーパーレスの金額支払いは、例えば店舗で、チェック・カードを用いることおよび個人識別番号を入力することによって行われている。個人識別番号を入力する代わりに、カード・データを電子的に読み出した後に対応する領収書に署名したのち、借方に記入することも可能である。個人識別番号または署名の入力は、顧客を認証するために用いられると同時に、顧客が金額を承認したことの確認として用いられる。
以下の本文では、ビジネス（business）とは、顧客が商品、サービスまたは類似物の代金を払うあらゆる場所または端末であると理解される。ビジネスは、キャッシュ端末等のビジネス端末によって支払いを処理するために、例えば顧客の信用等級をチェックするためクレジット・カード・センタと接続されるよう構成される。
様々なサービスを互いに結び付けるために、多機能チップカードを導入することができる。したがって、例えばバークレーカード（Barclaycard）を用いて、銀行ビジネスを行うと共に移動局を利用することができる。この接続における不利な要素は、銀行ビジネスのために、移動局からカードを取り出さなければならないことである。これは比較的厄介であり、更に、この期間中は、無線移動ネットワークから顧客に連絡することはできない。その上、移動局では、人手による使用にはやや不適切であるいわゆるミニカードが用いられる場合がある。
例えばＧＳＭ規格にしたがって、移動無線システムまたは移動無線ネットワークを介してデジタル・データを交換することができる。こういったデジタル・データは、デジタル化音声信号、ファクシミリ通信用データまたは、きわめて一般的には、固定式データ処理システムもしくはノートブック型パーソナル・コンピュータ等の移動式データ処理システム用のデータとすることができる。
本発明は、多機能チップカードを用いることによって、最初に述べたタイプの方法を簡略化するという目的に基づくものである。
発明の開示
本発明によれば、請求項１に特定されている特徴により、この目的が達成される。
本発明による方法は、顧客に対し以下の利点を有する。支払いのために、余分なカード、チェック・カードまたはクレジット・カードを必要としない。同様に、この余分なカードのための個人識別番号もない。
更に、移動局の製造業者は、多機能チップカードのフォーマットを考慮に入れる必要がない。なぜなら、このカードは、セットから取り出す必要がないからである。
【図面の簡単な説明】
図１は本発明によるキャツシュレス支払いを説明するための図である。
発明を実施するための最良の形態
以下、図面に示す実施の形態を参照しながら、本発明を詳細に説明する。
図面には本発明を理解するために必要な範囲で詳細が示されている。
移動無線システムＭＳは、移動切替センタＭＳＣを有する。移動無線システムＭＳおよびこれに関連する基地局のセルラ構造は、本発明にとって重要性が低いので、図には示さない。ＧＳＭまたはＤＥＣＴ規格にしたがって、また、別の国内または国際無線システムにしたがって、移動無線システムＭＳを構成することが可能である。
キャッシュレス支払い取引は、ビジネス端末ＧＥによって処理される。ビジネス端末ＧＥは、例えばビジネスや銀行に、または独立して設置されている。ビジネス端末ＧＥは自動テラー・マシンまたは銀行端末とすることができる。ビジネス端末ＧＥは表示装置ＡＺ２およびキーパッドＴＲ２を有する。
本発明による方法を実行するため、顧客は移動局ＭＦを有する。この移動局ＭＦは、本質的に公知の方法で、表示装置ＡＺ１およびキーパッドＴＲ１を有する。移動局ＭＦに挿入された多機能チップカードＣＫには、個人識別番号ＰＩＮおよびカード番号ＫＮが格納されている。識別番号ＰＩＮは、移動局ＭＦのユーザが入力し、移動無線システムＭＳに登録（register）しなければならない。登録の後、すなわち正しい識別番号ＰＩＮが入力されると、移動局ＭＦは移動無線システムＭＳにログイン（book into）される。一般に、識別番号ＰＩＮは移動局ＭＦ自体でチェックされる。
移動局ＭＦは、移動切替センタＭＳＣを介してビジネス端末ＧＥとコールＶを確立する。このために、顧客は、例えば、ビジネス端末ＧＥに特定された電話番号を、キーパッドＴＲ１を介して自身の移動局ＭＦに入力する。このコールＶは、キャッシュレス支払い取引を処理するための第１のステップである。
移動切替センタＭＳＣおよび／またはビジネス端末ＧＥは、カード・センタＫＺに接続されている。カード・センタＫＺを用いて、顧客の信用等級および当該顧客のチップカードＣＫの信用等級をそれぞれチェックする。カード・センタＫＺへの接続は、ＩＳＤＮ電話線を介して、またはＧＳＭ移動無線ネットワークを介して実施することができる。
次のステップとして、カード・センタＫＺにおいて、チップカードＣＫに格納されているカード番号ＫＮにより、顧客の信用等級をチェックする。カード番号ＫＮは、移動切替センタＭＳＣからカード・センタＫＺに伝送可能であり、信用等級のチェックの結果は、コールＶを介してビジネス端末ＧＥにほぼ自動的に伝送される。また、カード番号ＫＮは、ビジネス端末ＧＥによってカード・センタに伝送することも可能であり、信用等級のチェック結果は次いでカード・センタＫＺからビジネス端末ＧＥに直接伝送される。
ビジネス端末ＧＥでは、キーパッドＴＲ２を介して支払い対象の金額が入力される。この金額はコールＶを介して移動局ＭＦに伝送され、そこで表示装置ＡＺ１に表示される。また、この金額は、通常の方法で、カード・センタＫＺにおいて確保（reservation）することも可能である。
信用等級チェックが肯定的な結果で完了した後、顧客は金額の確認を要求される。キャッシュレス支払い取引を扱う更に別のステップでは、顧客は、キーパッドＴＲ１の一つ以上のキーを操作することによって、自身の移動局ＭＦで確認を入力し、この確認がコールＶを介してビジネス端末ＧＥに送られる。金額をこのように確認し、必要ならば更にカード・センタＫＺで借方に記入した後、顧客の移動局ＭＦとビジネス端末ＧＥとの間のキャッシュレス支払い取引は完了する。
本発明の変形では、例えばＤＥＣＴ規格にしたがって移動無線ネットワークを用いることにより、コールＶはビジネス端末ＧＥを介してカード・センタＫＺまで確立される。
本発明の発展では、移動局ＭＦは受信装置ＥＥを有し、ビジネス端末ＧＥは送信装置ＳＥを有する。受信装置ＥＥおよび送信装置ＳＥはそれぞれワイヤレス設計とすると好ましい。ビジネス端末ＧＥと移動局ＭＦとの間のこのワイヤレス接続は、例えば、赤外線送信リンクならびに対応する送信モジュールおよび受信モジュールによって実施可能である。
送信装置ＳＥは、ビジネス端末ＧＥの電話番号を伝搬する（radiate）ことができる。このため顧客は移動局ＭＦでこの電話番号を入力する必要がなく、この受信した電話番号を用いて、例えば単に確認するのみという簡略化された方法で、移動無線システムＭＳにおいてコールＶを確立することができる。
個人識別番号ＰＩＮを用いて、チップカードに対して顧客を認証する。カード番号ＫＮによる信用等級は、顧客の信用度の高さをチェックするために用いられる。本発明の一実施形態では、例えば要求された金額の確認前に、実際の支払いを実行するため、更に別の識別番号の入力を行うようにしてもよい。
個人または更に別の識別番号ＰＩＮの代わりに、例えば指紋または音声等の、顧客の他の識別特徴も、将来的には使用可能である。
顧客は、移動局ＭＦの代わりに、移動無線システムＭＳとのワイヤレス接続を有する端末をきわめて一般的に使用することができる。かかる端末は、例えば、個人情報通信機器（ＰＩＣ：Personal Intelligence Communicator）または個人デジタル支援機器（ＰＤＡ：Personal Digital Assistant）である。無線インタフェースを有するデータ処理装置も、本発明による方法を実行するのに適している。
0003945540.tif 000002